(57)【要約】【課題】ランプの周辺温度に関係なく、ランプの輝度を一定にし、また、温度変化によってランプの寿命が短くなるのを防止し、また、ランプの輝度変化による表示装置の画質低下を低減する光源用駆動装置及び表示装置を提供する。【解決手段】少なくとも一つの光源を駆動する駆動装置であって、前記光源の周辺温度を感知して該感知された温度に対応する第１制御信号を出力する温度感知部と、外部からの第１明るさ制御信号に基づいた第２制御信号を受信し、前記第１制御信号によって前記第２制御信号を変更し、変更された第２制御信号を出力する信号出力部と、前記変更された第２制御信号を受信して、変更された第２制御信号によって第３制御信号を出力するインバータ制御部とを有する。【選択図】図４
2006039558.tif 000002
【特許請求の範囲】
【請求項１】
少なくとも一つの光源を駆動する駆動装置であって、
前記光源の周辺温度を感知して該感知された温度に対応する第１制御信号を出力する温度感知部と、
外部からの第１明るさ制御信号に基づいた第２制御信号を受信し、前記第１制御信号によって前記第２制御信号を変更し、変更された第２制御信号を出力する信号出力部と、
前記変更された第２制御信号を受信して、変更された第２制御信号によって第３制御信号を出力するインバータ制御部とを有することを特徴とする光源用駆動装置。
【請求項２】
前記第１制御信号は、前記光源の周辺温度が設定温度より低い時、低レベル状態になり、前記第２及び第３制御信号は、前記第１制御信号によって調整されることを特徴とする請求項１に記載の光源用駆動装置。
【請求項３】
前記第２制御信号は、前記第１制御信号が低レベル状態である時、低レベル状態になり、前記第３制御信号は、前記光源を駆動するために高レベル状態に移行することを特徴とする請求項２に記載の光源用駆動装置。
【請求項４】
前記温度感知部は、電源に接続された温度感知センサーと、
前記温度感知センサーと接地との間に接続された第１抵抗（Ｒ３１）と、
前記温度感知センサーと前記第１抵抗（Ｒ３１）の共通端子と前記接地との間に接続された第１キャパシタ（Ｃ３１）と、
前記電源と接地との間に直列に接続された第２抵抗（Ｒ３２）及び第３抵抗（Ｒ３３）と、
前記第２抵抗（Ｒ３２）及び第３抵抗（Ｒ３３）の共通端子と前記接地との間に接続された第２キャパシタＣ３２と、
前記温度感知センサーと前記第１抵抗（Ｒ３１）の共通端子に接続された第４抵抗（Ｒ３４）と、
前記第２抵抗（Ｒ３２）及び第３抵抗（Ｒ３３）の共通端子に接続された反転端子と、前記第４抵抗（Ｒ３４）に接続された非反転端子とを備えた演算増幅器と、
前記非反転端子と前記演算増幅器の出力端子との間に接続された第５抵抗（Ｒ３５）とを有することを特徴とする請求項１に記載の光源用駆動装置。
【請求項５】
前記温度感知センサーはサーミスターであり、前記演算増幅器は比較器であることを特徴とする請求項４に記載の光源用駆動装置。
【請求項６】
前記演算増幅器は、ヒステリシス特性を有することを特徴とする請求項５に記載の光源用駆動装置。
【請求項７】
前記信号出力部は、前記第２制御信号が各々印加される第１及び第２ダイオードと、
第４制御信号が印加される第３ダイオードと、
前記温度感知部の演算増幅器の出力端子と前記第２及び第３ダイオードに接続された第６抵抗Ｒ４１とを有することを特徴とする請求項４に記載の光源用駆動装置。
【請求項８】
前記第１明るさ制御信号に基づいて前記第２制御信号を出力する第１明るさ制御部と、
外部からの第２明るさ制御信号に基づいて前記第４制御信号を出力する第２明るさ制御部とをさらに有することを特徴とする請求項１又は７に記載の光源用駆動装置。
【請求項９】
前記第１明るさ制御部は、前記電源に接続された第１抵抗（Ｒ１１）と、
前記第１抵抗（Ｒ１１）と前記第１明るさ制御信号の入力端子に共通で接続された第２抵抗（Ｒ１２）と、
前記電源に接続された第３抵抗（Ｒ１３）と、
前記第２抵抗（Ｒ１２）にベース端子が接続されており、前記第３抵抗（Ｒ１３）にコレクタ端子が接続されたトランジスタ（Ｑ１１）と、
前記トランジスタ（Ｑ１１）のコレクタ端子に接続された第４抵抗（Ｒ１４）と、
前記第４抵抗（Ｒ１４）と接地との間に接続されたキャパシタ（Ｃ１１）とを有することを特徴とする請求項８に記載の光源用駆動装置。
【請求項１０】
前記第１明るさ制御信号は、パルス幅変調（ＰＷＭ）信号であることを特徴とする請求項９に記載の光源用駆動装置。
【請求項１１】
前記第２明るさ制御部は、電源に接続された第１抵抗（Ｒ２１）と、
前記第１抵抗（Ｒ２１）と前記第２明るさ制御信号の入力端子に共通で接続された第２抵抗（Ｒ２２）と、
前記第２抵抗（Ｒ２２）と接地に接続された第３抵抗（Ｒ２３）と、
前記第２抵抗（Ｒ２２）にベース端子が接続されており、前記信号出力部にコレクタ端子が接続されているトランジスタ（Ｑ２１）と、
前記トランジスタ（Ｑ２１）のエミッタ端子と接地の間に接続された第４抵抗（Ｒ２４）とを有することを特徴とする請求項８に記載の光源用駆動装置。
【請求項１２】
前記第３制御信号によって動作して外部からのＤＣ電圧をＡＣ電圧に変えて出力するスイッチング部と、
前記ＡＣ電圧を所望の大きさの電圧に変更して出力する変圧部と、
前記変更された電圧によって前記光源を点滅させる光源部と、
前記光源に流れる電流を感知して対応する電圧に出力する電流感知部とをさらに有することを特徴とする請求項１に記載の光源用駆動装置。
【請求項１３】
前記電流感知部は、前記信号出力部に接続された抵抗（Ｒ５１）を有することを特徴とする請求項１２に記載の光源用駆動装置。
【請求項１４】
少なくとも一つの光源を駆動する駆動装置であって、
前記光源の周辺温度を感知して前記感知された温度に対応する第１制御信号を出力する温度感知部と、
外部からの第１明るさ制御信号に基づいて第２制御信号を出力する第１明るさ制御部と、
前記第２制御信号を受信し、前記第１制御信号によって前記第２制御信号を変更して、変更された第２制御信号を出力する信号出力部と、
前記変更された第２制御信号を受信して、前記変更された第２制御信号によって第３制御信号を出力するインバータ制御部と、
外部からの第２明るさ制御信号に基づいて第４制御信号を出力する第２明るさ制御部と、
前記光源に流れる電流を感知して対応する電圧を出力する電流感知部とを有することを特徴とする光源用駆動装置。
【請求項１５】
前記第１制御信号は、前記光源の周辺温度が設定温度より低い時、低レベル状態になり、前記第２及び第３制御信号は、前記第１制御信号によって調整されることを特徴とする請求項１４に記載の光源用駆動装置。
【請求項１６】
前記第２制御信号は、前記第１制御信号が低レベル状態である時、低レベル状態になり、前記第３制御信号は、前記光源を駆動するために高レベル状態に移行することを特徴とする請求項１５に記載の光源用駆動装置。
【請求項１７】
複数のデータＴＣＰ（Ｔａｐｅ  Ｃａｒｒｉｅｒ  Ｐａｃｋａｇｅ）と複数のゲートＴＣＰが付着された表示板組立体と、前記データ及びゲートＴＣＰに各々付着されたデータ及びゲート印刷回路基板を備えた表示部と、
少なくとも一つの光源を備えた光源部、前記表示部と前記光源部の間に装着されて前記光源部からの光の量を調整する光学器具部、及び前記光源部の動作を制御するインバータ部を有するバックライト部とを有し、
前記インバータ部は、前記光源の周辺温度を感知し、前記感知された温度に対応する第１制御信号を出力する温度感知部と、
外部からの第１明るさ制御信号に基づいた第２制御信号を受信し、前記第１制御信号によって前記第２制御信号を変更して、変更された第２制御信号を出力する信号出力部と、
前記変更された第２制御信号を受信して、前記変更された第２制御信号によって第３制御信号を出力するインバータ制御部とを有することを特徴とする表示装置。
【請求項１８】
前記第１制御信号は、前記光源の周辺温度が設定温度より低い時、低レベル状態になり、前記第２及び第３制御信号は、前記第１制御信号によって調整されることを特徴とする請求項１７に記載の表示装置。
【請求項１９】
前記第２制御信号は、前記第１制御信号が低レベル状態である時、低レベル状態になり、前記第３制御信号は、前記光源を駆動するために高レベル状態に移行することを特徴とする請求項１８に記載の表示装置。
【請求項２０】
前記温度感知部は、電源に接続された温度感知センサーと、
前記温度感知センサー及び接地の間に接続された第１抵抗（Ｒ３１）と、
前記温度感知センサーと前記第１抵抗（Ｒ３１）の共通端子と前記接地の間に接続された第１キャパシタ（Ｃ３１）と、
前記電源と接地の間に直列に接続された第２抵抗（Ｒ３２）及び第３抵抗（Ｒ３３）と、
前記第２抵抗（Ｒ３２）及び第３抵抗（Ｒ３３）の共通端子と前記接地の間に接続された第２キャパシタ（Ｃ３２）と、
前記温度感知センサーと前記第１抵抗（Ｒ３１）の共通端子に接続された第４抵抗（Ｒ３４）と、
前記第２抵抗（Ｒ３２）及び第３抵抗（Ｒ３３）の共通端子に接続された反転端子と、前記第４抵抗（Ｒ３４）に接続された非反転端子を備えた演算増幅器と、
前記非反転端子と前記演算増幅器の出力端子の間に接続された第５抵抗（Ｒ３５）とを有することを特徴とする請求項１７に記載の表示装置。
【請求項２１】
前記温度感知センサーはサーミスターであり、前記演算増幅器は比較器であることを特徴とする請求項２０に記載の表示装置。
【請求項２２】
前記演算増幅器は、ヒステリシス特性を有することを特徴とする請求項２１に記載の表示装置。
【請求項２３】
前記第１明るさ制御信号に基づいて前記第２制御信号を出力する第１明るさ制御部と、
外部からの第２明るさ制御信号に基づいて第４制御信号を出力する第２明るさ制御部とをさらに有することを特徴とする請求項１７に記載の表示装置。
【発明の詳細な説明】
【技術分野】
【０００１】
本発明は、光源用駆動装置及び表示装置に関し、特に、ランプの周辺温度に関係なく、ランプの輝度を一定にし、表示装置の画質低下を低減する光源用駆動装置及び表示装置に関する。
【背景技術】
【０００２】
コンピュータのモニターやＴＶなどに用いられる表示装置（ｄｉｓｐｌａｙ  ｄｅｖｉｃｅ）には、自ら発光する発光ダイオード（ＬＥＤ）、ＥＬ（エレクトロルミネセンス）、真空蛍光表示装置（ＶＦＤ）、電界発光素子（ＦＥＤ）、プラズマ表示装置（ＰＤＰ）等と、自ら発光できず光源を必要とする液晶表示装置（ＬＣＤ）等がある。
一般の液晶表示装置は、電界生成電極が具備された二つの表示板と、その間に入っている誘電率異方性を有する液晶層とを含む。電界生成電極に電圧を印加して液晶層に電場を生成し、電圧を変化させてこの電場の強度を調節し、このようにして液晶層を通過する光の透過率を調節して所望の画像を得る。この時の光は、別に具備された人工光源、または自然光等を用いることができる。
【０００３】
液晶表示装置用の光源、つまりバックライト装置は、光源としてＣＣＦＬ（ｃｏｌｄ  ｃａｔｈｏｄｅ  ｆｌｕｏｒｅｓｃｅｎｔ  ｌａｍｐ）やＥＥＦＬ（ｅｘｔｅｒｎａｌ  ｅｌｅｃｔｒｏｄｅ  ｆｌｕｏｒｅｓｃｅｎｔ  ｌａｍｐ）のような複数の蛍光ランプを用いており、ランプを駆動するインバータを備える。インバータは、外部から入力される明るさ制御電圧によって入力される直流電圧を交流電圧に変換した後、ランプに印加し点灯させてランプの明るさを調節し、ランプに流れる電流に係わる電圧を感知し、感知された電圧に基づいてランプに印加される電圧を制御する（例えば、特許文献１参照）。
【０００４】
しかし、このような蛍光ランプは、周辺の温度が設定温度以下になると、放電管内に注入された水銀などの気体が液体状態に変化し、水銀が正常に励起しない。その結果、ランプの動作に異常が生じ、ランプが点灯しても正常な輝度を出すことができないという問題があった。更に、このような低温状態の場合、液体状態の水銀が電極に悪影響を及ぼし、電極が摩耗する不具合が発生する。このため、低温で蛍光灯を点灯すると蛍光灯の寿命が顕著に短くなるという問題があった。
【０００５】
【特許文献１】特開平０６−０９５１１０号公報
【発明の開示】
【発明が解決しようとする課題】
【０００６】
そこで、本発明は上記従来の光源用駆動装置及び表示装置における問題点に鑑みてなされたものであって、本発明の目的は、ランプの周辺温度に関係なく、ランプの輝度を一定にする光源用駆動装置及び表示装置を提供することにある。本発明の他の目的は、温度変化によってランプの寿命が短くなるのを防止し、さらにまた、ランプの輝度変化による表示装置の画質低下を低減することにある。
【課題を解決するための手段】
【０００７】
上記目的を達成するためになされた本発明による光源用駆動装置は、少なくとも一つの光源を駆動する駆動装置であって、前記光源の周辺温度を感知して該感知された温度に対応する第１制御信号を出力する温度感知部と、外部からの第１明るさ制御信号に基づいた第２制御信号を受信し、前記第１制御信号によって前記第２制御信号を変更し、変更された第２制御信号を出力する信号出力部と、前記変更された第２制御信号を受信して、変更された第２制御信号によって第３制御信号を出力するインバータ制御部とを有することを特徴とする。
【０００８】
前記第１制御信号は、前記光源の周辺温度が設定温度より低い時、低レベル状態になり、前記第２及び第３制御信号は、前記第１制御信号によって調整されることが好ましい。
前記第２制御信号は、前記第１制御信号が低レベル状態である時、低レベル状態になり、前記第３制御信号は、前記光源を駆動するために高レベル状態に移行することが好ましい。
前記温度感知部は、電源に接続された温度感知センサーと、前記温度感知センサーと接地との間に接続された第１抵抗（Ｒ３１）と、前記温度感知センサーと前記第１抵抗（Ｒ３１）の共通端子と前記接地との間に接続された第１キャパシタ（Ｃ３１）と、前記電源と接地との間に直列に接続された第２抵抗（Ｒ３２）及び第３抵抗（Ｒ３３）と、前記第２抵抗（Ｒ３２）及び第３抵抗（Ｒ３３）の共通端子と前記接地との間に接続された第２キャパシタＣ３２と、前記温度感知センサーと前記第１抵抗（Ｒ３１）の共通端子に接続された第４抵抗（Ｒ３４）と、前記第２抵抗（Ｒ３２）及び第３抵抗（Ｒ３３）の共通端子に接続された反転端子と、前記第４抵抗（Ｒ３４）に接続された非反転端子とを備えた演算増幅器と、前記非反転端子と前記演算増幅器の出力端子との間に接続された第５抵抗（Ｒ３５）とを有することが好ましい。
前記温度感知センサーはサーミスターであり、前記演算増幅器は比較器であることが好ましい。
【０００９】
前記演算増幅器は、ヒステリシス特性を有することが好ましい。
前記信号出力部は、前記第２制御信号が各々印加される第１及び第２ダイオードと、第４制御信号が印加される第３ダイオードと、前記温度感知部の演算増幅器の出力端子と前記第２及び第３ダイオードに接続された第６抵抗Ｒ４１とを有することが好ましい。
前記第１明るさ制御信号に基づいて前記第２制御信号を出力する第１明るさ制御部と、外部からの第２明るさ制御信号に基づいて前記第４制御信号を出力する第２明るさ制御部とをさらに有することが好ましい。
前記第１明るさ制御部は、前記電源に接続された第１抵抗（Ｒ１１）と、前記第１抵抗（Ｒ１１）と前記第１明るさ制御信号の入力端子に共通で接続された第２抵抗（Ｒ１２）と、前記電源に接続された第３抵抗（Ｒ１３）と、前記第２抵抗（Ｒ１２）にベース端子が接続されており、前記第３抵抗（Ｒ１３）にコレクタ端子が接続されたトランジスタ（Ｑ１１）と、前記トランジスタ（Ｑ１１）のコレクタ端子に接続された第４抵抗（Ｒ１４）と、前記第４抵抗（Ｒ１４）と接地との間に接続されたキャパシタ（Ｃ１１）とを有することが好ましい。
【００１０】
前記第１明るさ制御信号は、パルス幅変調（ＰＷＭ）信号であることが好ましい。
前記第２明るさ制御部は、電源に接続された第１抵抗（Ｒ２１）と、前記第１抵抗（Ｒ２１）と前記第２明るさ制御信号の入力端子に共通で接続された第２抵抗（Ｒ２２）と、前記第２抵抗（Ｒ２２）と接地に接続された第３抵抗（Ｒ２３）と、前記第２抵抗（Ｒ２２）にベース端子が接続されており、前記信号出力部にコレクタ端子が接続されているトランジスタ（Ｑ２１）と、前記トランジスタ（Ｑ２１）のエミッタ端子と接地の間に接続された第４抵抗（Ｒ２４）とを有することが好ましい。
前記第３制御信号によって動作して外部からのＤＣ電圧をＡＣ電圧に変えて出力するスイッチング部と、前記ＡＣ電圧を所望の大きさの電圧に変更して出力する変圧部と、前記変更された電圧によって前記光源を点滅させる光源部と、前記光源に流れる電流を感知して対応する電圧に出力する電流感知部とをさらに有することが好ましい。
前記電流感知部は、前記信号出力部に接続された抵抗（Ｒ５１）を有することが好ましい。
【００１１】
また、上記目的を達成するためになされた本発明による光源用駆動装置は、少なくとも一つの光源を駆動する駆動装置であって、前記光源の周辺温度を感知して前記感知された温度に対応する第１制御信号を出力する温度感知部と、外部からの第１明るさ制御信号に基づいて第２制御信号を出力する第１明るさ制御部と、前記第２制御信号を受信し、前記第１制御信号によって前記第２制御信号を変更して、変更された第２制御信号を出力する信号出力部と、前記変更された第２制御信号を受信して、前記変更された第２制御信号によって第３制御信号を出力するインバータ制御部と、外部からの第２明るさ制御信号に基づいて第４制御信号を出力する第２明るさ制御部と、前記光源に流れる電流を感知して対応する電圧を出力する電流感知部とを有することを特徴とする。
【００１２】
前記第１制御信号は、前記光源の周辺温度が設定温度より低い時、低レベル状態になり、前記第２及び第３制御信号は、前記第１制御信号によって調整されることが好ましい。
前記第２制御信号は、前記第１制御信号が低レベル状態である時、低レベル状態になり、前記第３制御信号は、前記光源を駆動するために高レベル状態に移行することが好ましい。
【００１３】
上記目的を達成するためになされた本発明による表示装置は、複数のデータＴＣＰ（Ｔａｐｅ  Ｃａｒｒｉｅｒ  Ｐａｃｋａｇｅ）と複数のゲートＴＣＰが付着された表示板組立体と、前記データ及びゲートＴＣＰに各々付着されたデータ及びゲート印刷回路基板を備えた表示部と、少なくとも一つの光源を備えた光源部、前記表示部と前記光源部の間に装着されて前記光源部からの光の量を調整する光学器具部、及び前記光源部の動作を制御するインバータ部を有するバックライト部とを有し、前記インバータ部は、前記光源の周辺温度を感知し、前記感知された温度に対応する第１制御信号を出力する温度感知部と、外部からの第１明るさ制御信号に基づいた第２制御信号を受信し、前記第１制御信号によって前記第２制御信号を変更して、変更された第２制御信号を出力する信号出力部と、前記変更された第２制御信号を受信して、前記変更された第２制御信号によって第３制御信号を出力するインバータ制御部とを有することを特徴とする。
【００１４】
前記第１制御信号は、前記光源の周辺温度が設定温度より低い時、低レベル状態になり、前記第２及び第３制御信号は、前記第１制御信号によって調整されることが好ましい。
前記第２制御信号は、前記第１制御信号が低レベル状態である時、低レベル状態になり、前記第３制御信号は、前記光源を駆動するために高レベル状態に移行することが好ましい。
前記温度感知部は、電源に接続された温度感知センサーと、前記温度感知センサー及び接地の間に接続された第１抵抗（Ｒ３１）と、前記温度感知センサーと前記第１抵抗（Ｒ３１）の共通端子と前記接地の間に接続された第１キャパシタ（Ｃ３１）と、前記電源と接地の間に直列に接続された第２抵抗（Ｒ３２）及び第３抵抗（Ｒ３３）と、前記第２抵抗（Ｒ３２）及び第３抵抗（Ｒ３３）の共通端子と前記接地の間に接続された第２キャパシタ（Ｃ３２）と、前記温度感知センサーと前記第１抵抗（Ｒ３１）の共通端子に接続された第４抵抗（Ｒ３４）と、前記第２抵抗（Ｒ３２）及び第３抵抗（Ｒ３３）の共通端子に接続された反転端子と、前記第４抵抗（Ｒ３４）に接続された非反転端子を備えた演算増幅器と、前記非反転端子と前記演算増幅器の出力端子の間に接続された第５抵抗（Ｒ３５）とを有することが好ましい。
前記温度感知センサーはサーミスターであり、前記演算増幅器は比較器であることが好ましい。
前記演算増幅器は、ヒステリシス特性を有することが好ましい。
前記第１明るさ制御信号に基づいて前記第２制御信号を出力する第１明るさ制御部と、
外部からの第２明るさ制御信号に基づいて第４制御信号を出力する第２明るさ制御部とをさらに有することが好ましい。
【発明の効果】
【００１５】
本発明に係る光源用駆動装置及び表示装置によれば、光源部の周辺温度が設定温度以下である場合、光源部に印加される駆動電圧を最大にし、最も大きい電流がランプに流れるようにする。これによって、光源部周辺の温度が正常の動作が可能な温度に到達するまでにかかる時間を短縮し、放電ガス動作の異常によって光源部の輝度が低下するのを防止するという効果がある。また、設定温度範囲で光源部が動作する場合には、放電ガスによる電極の摩耗を防ぎ、光源部の寿命減少を防止するという効果がある。
【発明を実施するための最良の形態】
【００１６】
次に、本発明に係る光源用駆動装置及び表示装置を実施するための最良の形態の具体例を図面を参照しながら説明する。
図面は、各種層及び領域を明確に表現するために、厚さを拡大して示している。明細書全体を通じて類似した部分については同一な参照符号を付けている。層、膜、領域、板などの部分が、他の部分の“上に”あるとする時、これは他の部分の“すぐ上に”ある場合に限らず、その中間に更に他の部分がある場合も含む。逆に、ある部分が他の部分の“すぐ上に”あるとする時、これは中間に他の部分がない場合を意味する。
【実施例】
【００１７】
図１は、本発明の一実施例による液晶表示装置の分解斜視図であり、図２は、本発明の一実施例による液晶表示装置のブロック図であり、図３は、本発明の一実施例による液晶表示装置の一画素に対する等価回路図である。また、図４は、本発明の一実施例によるインバータ部９２０の詳細な回路図である。
図１に示すように、本発明の一実施例による液晶表示装置は、表示部３３０とバックライト部９００とを備える液晶モジュールと、液晶モジュールを受納する上部／下部シャーシ３６１、３６２、及びモールドフレーム３６６を含む。
表示部３３０は、液晶表示板組立体３００と、これに付着された複数のゲートＴＣＰ（ｔａｐｅ  ｃａｒｒｉｅｒ  ｐａｃｋａｇｅ）４１０とデータＴＣＰ３１０、及び該当ＴＣＰ４１０、３１０に付着されているゲート印刷回路基板（ＰＣＢ）４５０とデータＰＣＢ３５０を含む。
【００１８】
図３参照を参照すると、液晶表示板組立体３００は、下部表示板１００及び上部表示板２００と、その間に入っている液晶層３とを含む。
下部表示板１００は、複数の表示信号線Ｇ１−Ｇｎ、Ｄ１−Ｄｍを含み、下部及び上部表示板１００、２００は、表示信号線Ｇ１−Ｇｎ、Ｄ１−Ｄｍに接続され、略行列状に配列された複数の画素を含む。
表示信号線Ｇ１−Ｇｎ、Ｄ１−Ｄｍは、ゲート信号（走査信号とも言う。）を伝達する複数のゲート線Ｇ１−Ｇｎとデータ信号を伝達するデータ線Ｄ１−Ｄｍとを含む。ゲート線Ｇ１−Ｇｎは、略行方向に延びて互いに略平行であり、データ線Ｄ１−Ｄｍは、略列方向に延びて互いに略平行である。
各画素は、表示信号線Ｇ１−Ｇｎ、Ｄ１−Ｄｍに接続されたスイッチング素子Ｑと、これに接続された液晶キャパシタＣＬＣ及びストレージキャパシタＣＳＴを含む。ストレージキャパシタＣＳＴは、必要に応じて省略することができる。
【００１９】
薄膜トランジスタ等のスイッチング素子Ｑは、下部表示板１００に備わり、三端子素子であってその制御端子及び入力端子は、それぞれゲート線Ｇ１−Ｇｎ及びデータ線Ｄ１−Ｄｍに接続されており、出力端子は、液晶キャパシタＣＬＣ及びストレージキャパシタＣＳＴに接続されている。
液晶キャパシタＣＬＣは、下部表示板１００の画素電極１９０と上部表示板２００の共通電極２７０を二つの端子とし、二つの電極１９０、２７０間の液晶層３は誘電体として機能する。画素電極１９０は、スイッチング素子Ｑに接続されており、共通電極２７０は、上部表示板２００の全面に形成され共通電圧Ｖｃｏｍの印加を受ける。図３とは異なって、共通電極２７０が下部表示板１００に備わる場合もあり、その場合には、二つの電極１９０、２７０の少なくとも一方が線形または棒形に形成することができる。
【００２０】
液晶キャパシタＣＬＣの補助的な役割を果たすストレージキャパシタＣＳＴは、下部表示板１００に具備された別の信号線（図示せず）と画素電極１９０とが絶縁体を介在して重なって形成されている。この別の信号線には、共通電圧Ｖｃｏｍなどの定められた電圧が印加される。また、ストレージキャパシタＣＳＴは、画素電極１９０が絶縁体を媒介としてすぐ上にある前段ゲート線と重なって形成することができる。
一方、カラー表示を実現するために、各画素が三原色の一つを固有に表示し（空間分割）、また各画素は時間によって交互に三原色を表示し（時間分割）、これら三原色の空間的及び時間的な作用によって所望の色相が認識できるようにする。図３は、空間分割の一例であって、各画素が画素電極１９０に対応する領域に赤色、緑色、または青色のカラーフィルタ２３０が備わっている様子を示している。また、図３とは異なり、カラーフィルター２３０は、下部表示板１００の画素電極１９０の上または下に形成しても良い。
液晶表示板組立体３００の二つの表示板１００、２００の少なくとも一方の外表面には、光を偏光する偏光子（図示せず）が付着されている。
【００２１】
図１及び図２を参照すると、ゲートＴＣＰ４１０は、液晶表示板組立体３００の下部表示板１００の一周縁に付着されており、その上には、ゲート駆動部４００を構成するゲート駆動集積回路４１１がチップの形態で装着されている。データＴＣＰ３１０は、液晶表示板組立体３００の下部表示板１００の別の周縁に付着されており、その上には、データ駆動部５００を構成するデータ駆動集積回路３１１がチップの形態で装着されている。ゲート駆動部４００及びデータ駆動部５００は、ＴＣＰ４１０、３１０に設けられている信号線（図示せず）を通じて液晶表示板組立体３００のゲート線Ｇ１−Ｇｎ及びデータ線Ｄ１−Ｄｍにそれぞれ電気的に接続されている。
【００２２】
ゲート駆動部４００は、ゲートオン電圧Ｖｏｎとゲートオフ電圧Ｖｏｆｆの組み合わせからなるゲート信号をゲート線Ｇ１−Ｇｎに印加し、データ駆動部５００は、データ電圧をデータ線Ｄ１−Ｄｍに印加する。
これに対し、ＴＣＰを用いずにゲート駆動部４００及びデータ駆動部５００を構成する駆動集積回路チップを表示板上に直接付着し（ｃｈｉｐ  ｏｎ  ｇｌａｓｓ：ＣＯＧ実装方式）、またゲート駆動部４００若しくはデータ駆動部５００をスイッチング素子Ｑ及び表示信号線Ｇ１−Ｇｎ、Ｄ１−Ｄｍと共に液晶表示板組立体３００に直接設けることも可能である。
【００２３】
ゲートＰＣＢ（Ｐｒｉｎｔｅｄ  Ｃｉｒｃｕｉｔ  Ｂｏａｒｄ）４５０は、下部表示板１００と平行に長さ方向にＴＣＰ４１０に付着されており、その上には、信号を伝達する複数の信号線（図示せず）と電子部品などが形成されている。
データＰＣＢ３５０は、下部表示板１００と平行に長さ方向にＴＣＰ３１０に付着されており、その上には、信号を伝達する複数の信号線（図示せず）と電子部品などが形成されている。
階調電圧生成部８００は、画素の透過率に関わる二組の複数階調電圧を生成し、データ電圧としてデータ駆動部５００に提供する。二組のうちの一組は共通電圧Ｖｃｏｍに対して正の値を有し、もう一組は負の値を有する。
【００２４】
図１及び図４を参照すると、バックライト部９００は、下部シャーシ３６２に固定され、下部シャーシ３６２の上に所定の距離が隔離されて設けられる光源部９６０、組立体３００と光源部９６０との間に位置し光源部９６０からの光を処理する複数の光学器具９１０、及び光源部９６０を制御するインバータ部９２０（図１には図示せず）を含む。
光源部９６０は、蛍光ランプのような複数のランプ（ＬＰ１、ＬＰ２、・・・）、これらランプ（ＬＰ１、ＬＰ２、・・・）の両端でランプ（ＬＰ１、ＬＰ２、・・・）を固定支持するランプホルダ３６５、ランプ（ＬＰ１、ＬＰ２、・・・）が傾いて発生する破損を防ぐランプ固定台３６４、複数のランプ（ＬＰ１、ＬＰ２、・・・）の下部の全面に位置し、ランプから放出される光を液晶表示板組立体３００側に反射する反射シート３６３を備える。
【００２５】
本実施例では、ランプとしてＣＣＦＬを用いる。この他にも、ＥＥＦＬや発光ダイオード（ＬＥＤ）などもランプとして用いることが可能である。また、面光源を用いても良い。図１に示したランプの数は、必要に応じて加減できる。
図４を参照すると、インバータ部９２０は、第１明るさ制御部９２１、第２明るさ制御部９２２、温度感知部９２３、第１及び第２明るさ制御部９２１、９２２及び温度感知部９２３に接続された信号出力部９２４、信号出力部９２４に接続されたインバータ制御部９２５、インバータ制御部９２５に接続されたスイッチング部９２６、スイッチング部９２６及び光源部９６０に接続された変圧部９２７、並びに光源部９６０及び信号出力部９２４に接続された電流感知部９２８を含む。
インバータ部９２０は、別に設けられたインバータＰＣＢ（図示せず）に備わる場合もあり、ゲートＰＣＢ４５０やデータＰＣＢ５５０に備わることもできる。本発明の実施例において、温度感知部９２３は、インバータ部９２０に包含されているが、インバータ部９２０以外の装置に包含されても良い。
【００２６】
図１に示すように、光学器具９１０は、組立体３００と光源板９６０との間に位置し、光源板９６０からの光を組立体３００に誘導及び拡散する拡散板９０２と複数の光学シート９０１とを備える。
図１に示すように、光源部９６０のランプ（ＬＰ１、ＬＰ２、・・・）を下部表示板１００の下部に配置したものを直下型（ｄｉｒｅｃｔ  ｔｙｐｅ）と称し、ランプ（ＬＰ１、ＬＰ２、・・・）を液晶表示板組立体３００の下部の周縁に配置し、拡散板９０２の代りに導光板を配置したものをエッジ型（ｅｄｇｅ  ｔｙｐｅ）と称する。
図１には示していないが、上部シャーシ３６１の上部及び下部シャーシ３６２の下部には、それぞれ上部ケース及び下部ケースが設けられており、これらの結合によって液晶表示装置が完成する。
信号制御部６００は、ゲート駆動部４００とデータ駆動部５００などの動作を制御する（図２参照）。
【００２７】
以下、このような液晶表示装置の表示動作について詳細に説明する。
図２を参照すると、信号制御部６００には、外部のグラフィック制御部（図示せず）から入力映像信号Ｒ、Ｇ、Ｂ及びその表示を制御する入力制御信号、例えば垂直同期信号Ｖｓｙｎｃと水平同期信号Ｈｓｙｎｃ、メインクロックＭＣＬＫ、データイネーブル信号ＤＥなどが提供される。信号制御部６００は、入力映像信号Ｒ、Ｇ、Ｂ及び入力制御信号に基づいて、映像信号Ｒ、Ｇ、Ｂを液晶表示板組立体３００の動作条件に合わせて適切に処理し、ゲート制御信号ＣＯＮＴ１とデータ制御信号ＣＯＮＴ２等を生成した後、ゲート制御信号ＣＯＮＴ１をゲート駆動部４００に送り、データ制御信号ＣＯＮＴ２及び処理した映像信号ＤＡＴは、データ駆動部５００に送る。
【００２８】
ゲート制御信号ＣＯＮＴ１は、ゲートオン電圧Ｖｏｎの出力開始を指示する走査開始信号ＳＴＶ、ゲートオン電圧Ｖｏｎの出力時期及び出力電圧を制御する少なくとも一つのクロック信号などを含む。
データ制御信号ＣＯＮＴ２は、映像データＤＡＴの伝送開始を知らせる水平同期開始信号ＳＴＨと、データ線Ｄ１−Ｄｍにデータ電圧の印加を指示するロード信号ＬＯＡＤ、共通電圧Ｖｃｏｍに対するデータ電圧の極性（以下、共通電圧に対するデータ電圧の極性を略して“データ電圧の極性”と言う。）を反転する反転信号ＲＶＳ、及びデータクロック信号ＨＣＬＫなどを含む。
【００２９】
データ駆動部５００は、信号制御部６００からのデータ制御信号ＣＯＮＴ２によって一行の画素に対する映像データＤＡＴを順に受信してシフトさせ、階調電圧生成部８００からの階調電圧のうち各映像データＤＡＴに対応する階調電圧を選択することによって、映像データＤＡＴを該当データ電圧に変換した後、これを該当するデータ線Ｄ１−Ｄｍに印加する。
ゲート駆動部４００は、信号制御部６００からのゲート制御信号ＣＯＮＴ１によってゲートオン電圧Ｖｏｎをゲート線Ｇ１−Ｇｎに印加して、このゲート線Ｇ１−Ｇｎに接続されたスイッチング素子Ｑを導通させ、これによってデータ線Ｄ１−Ｄｍに印加されたデータ電圧が、導通したスイッチング素子Ｑを通じて該当する画素に印加される。
画素に印加されたデータ電圧と共通電圧Ｖｃｏｍとの差は、液晶キャパシタＣＬＣの充電電圧、つまり画素電圧として表れる。液晶分子は、画素電圧の大きさによってその配列が異なる。
【００３０】
図４を参照すると、インバータ部９２０は、外部から印加される直流電圧を交流電圧に変換及び変圧して光源部９６０に印加し、この電圧によって光源部９６０が点滅し、光源部９６０の明るさが制御される。また、インバータ部９２０は、温度感知部９２３からの温度感知信号によって光源部９６０の動作を制御する。このようなインバータ部９２０の動作に関して、後ほど詳細に説明する。
このようなインバータ部９２０の動作により、光源部９６０から発光した光は、液晶層３を通過しながら液晶分子の配列に応じてその偏光が変化する。このような偏光の変化は、偏光子によって光透過率の変化として表れる。
【００３１】
１水平周期（または１Ｈ）［水平同期信号（Ｈｓｙｎｃ）の一周期］が経過すると、データ駆動部５００及びゲート駆動部４００は、次行の画素に対して同じ動作を繰り返す。このような方法で、１フレーム（ｆｒａｍｅ）期間の間に全てのゲート線Ｇ１−Ｇｎに対して順にゲートオン電圧Ｖｏｎを印加し、全ての画素にデータ電圧を印加する。
１フレームが終了すれば次のフレームが開始され、各画素に印加されるデータ電圧の極性が直前フレームでの極性と逆になるようデータ駆動部５００に印加される反転信号ＲＶＳの状態が制御される（フレーム反転）。この時、１フレーム期間内にも反転信号ＲＶＳの特性によって一つのデータ線を通じて流れるデータ電圧の極性が変化し（行反転、ドット反転）、一つの画素行に印加されるデータ電圧の極性も互いに異なるようにすることができる（熱反転、ドット反転）。
【００３２】
以下、本発明の一実施例によるインバータ部９２０の動作について、図４を参照して詳細に説明する。
図４に示すように、第１明るさ制御部９２１は、電源電圧Ｖｃｃに接続された抵抗Ｒ１１、抵抗Ｒ１１と第１明るさ制御信号ＤＭ１の入力端子に共通に接続された抵抗Ｒ１２、電源電圧Ｖｃｃに接続された抵抗Ｒ１３、抵抗Ｒ１３にコレクタ端子が接続され、抵抗Ｒ１２にベース端子が接続され、エミッタ端子は接地されているトランジスタＱ１１、トランジスタＱ１１のコレクタ端子に接続された抵抗Ｒ１４、並びに抵抗Ｒ１４と接地との間に接続されたキャパシタＣ１１を含む。
第２明るさ制御部９２２は、電源電圧Ｖｃｃに接続された抵抗Ｒ２１、抵抗Ｒ２１と第２明るさ制御信号ＤＭ２の入力端子に共通に接続された抵抗Ｒ２２、抵抗Ｒ２２と接地との間に接続された抵抗Ｒ２３、抵抗Ｒ２２にベース端子が接続されたトランジスタＱ２１、並びにトランジスタＱ２１のエミッタ端子と接地との間に接続された抵抗Ｒ２４を含む。
【００３３】
温度感知部９２３は、電源電圧Ｖｃｃと接地との間に直列に接続された温度感知センサＴＨ３１と抵抗Ｒ３１、温度感知センサＴＨ３１及び抵抗Ｒ３１の共通端子と接地との間に接続されたキャパシタＣ３１、電源電圧Ｖｃｃと接地との間に直列に接続された抵抗Ｒ３２、Ｒ３３、抵抗Ｒ３２、Ｒ３３の共通端子と接地との間に接続されたキャパシタＣ３２、温度感知センサＴＨ３１及び抵抗Ｒ３１の共通端子に接続された抵抗Ｒ３４、抵抗Ｒ３２、Ｒ３３の共通端子に反転端子（−）が接続され、抵抗Ｒ３４に非反転端子が接続された演算増幅器ＣＯＭ３１、並びに演算増幅器ＣＯＭ３１の非反転端子（＋）と出力端子との間に接続された抵抗Ｒ３５を含む。
信号出力部９２４は、第１明るさ制御部９２１のキャパシタＣ１１に順方向に接続されたダイオードＤ４１、Ｄ４２、第２明るさ制御部９２２のトランジスタＱ２１のコレクタ端子に順方向に接続されたダイオードＤ４３、温度感知部９２３の演算増幅器ＣＯＭ３１の出力端子と第１及び第２明るさ制御信号入力９２１、９２２のダイオードＤ４２、Ｄ４３に接続された抵抗Ｒ４１を含む。
【００３４】
電流感知部９２８は、光源部９６０及び信号出力部９２４の抵抗Ｒ４２に接続された抵抗Ｒ５１を含む。
温度感知部９２３の温度感知センサＴＨ３１は、感知した温度によって抵抗値が変化する温度感知素子であるサーミスタを利用し、本発明の実施例に係るサーミスタは、感知された温度が高くなると抵抗値が減少し、逆に温度が低くなると抵抗値が増加する特性を有する。本発明の実施例で、温度感知センサＴＨ３１は、光源部９６０のランプ自身や、ランプと近接してランプの温度と類似する温度を示す部分に装着される。また、このような温度感知センサＴＨ３１の動作特性や装着位置は変更可能である。
【００３５】
一般に、光源部９６０の周辺温度が低い場合、蛍光ランプ内に注入されたガスが気体状態から液体状態に変化して正常に励起されず、光源部９６０の輝度が全体的に暗くなる。
従って、本発明の実施例によるインバータ部９２０は、感知された温度によって光源部９６のランプに流れる電流を調整して、温度低下によって発生するランプの輝度低下を防止する。このようなインバータ部９２０の動作についてより詳細に説明する。
光源部９６０を初期点灯するために、発振部（図示せず）から初期設定された周波数の三角波が発生し、外部から印加される初期設定されたＤＣレベルの制御信号（図示せず）によってパルス幅変調された信号が、第１明るさ制御信号ＤＭ１として第１明るさ制御部９２１に印加される。
【００３６】
既に説明したように、第１明るさ制御信号ＤＭ１はパルス幅変調（ＰＷＭ）信号であって、本発明の実施例において、第１明るさ制御信号ＤＭ１が高レベルである区間は、光源部９６０が点灯する点灯区間（ランプの駆動電流が流れる区間）であり、低レベルである区間は、光源部９６０が消灯する区間（ランプの駆動電流が流れない区間）である。また、このような第１明るさ制御信号ＤＭ１の状態及び点滅状態は変更可能である。さらに、第１明るさ制御信号ＤＭ１は、制御スイッチなどを通じて使用者が制御信号のＤＣレベルを調整することによって信号のデューティ比を変更して光源部９６０の点滅周期を変更することもできる。
【００３７】
第１明るさ制御部９２１は、外部からの第１明るさ制御信号ＤＭ１を抵抗Ｒ１２を通じてトランジスタＱ１１に印加する。トランジスタＱ１１は、第１明るさ制御信号ＤＭ１のパルス状態によって導通若しくは遮断され、第１明るさ制御信号ＤＭ１に反転された状態のパルス信号を抵抗Ｒ１４とキャパシタＣ１１とからなるフィルタを通って信号出力部９２４に印加する。第１明るさ制御部９２１における抵抗Ｒ１１は、プルアップ（ｐｕｌｌ−ｕｐ）抵抗である。
また、第２明るさ制御部９２２は、外部からの第２明るさ制御信号ＤＭ２の分圧器として作用する抵抗Ｒ２２、Ｒ２３を用いて、該当する大きさのレベルに調整した後、トランジスタＱ２１に印加する。この時、第２明るさ制御信号ＤＭ２は、所定のレベルを有するＤＣ信号であって、所望の光源部９６０の輝度状態に応じて信号レベルを調整することができる。トランジスタＱ２１は、抵抗Ｒ２４と共にエミッタフォロワ（ｅｍｉｔｔｅｒ  ｆｏｌｌｏｗｅｒ）として作用する。
【００３８】
従って、第２明るさ制御信号ＤＭ２によってエミッタ端子の電圧が定められ、トランジスタＱ２１が動作すると、コレクタ端子に印加される電流が抵抗Ｒ２４を通じて接地に流れる。この時、説明されない抵抗Ｒ２１はプルアップ抵抗である。
このように、外部からの第１及び第２明るさ制御信号ＤＭ１、ＤＭ２によって第１及び第２明るさ制御部９２１、９２２が動作する場合、温度感知部９２３は、温度感知センサＴＨ３１によって感知された周辺温度に応じて該当する動作を実施する。
即ち、感知された温度に応じて温度感知センサＴＨ３１の抵抗値が設定されると、分圧器として作動する温度感知センサＴＨ３１及び抵抗Ｒ３１によって電源電圧Ｖｃｃが該当する大きさの電圧に分圧された後、抵抗Ｒ３４を通って演算増幅器ＣＯＭ３１の非反転端子に印加される。また、分圧器として作用する抵抗Ｒ３２、Ｒ３３によって電源電圧Ｖｃｃも該当する大きさの電圧に分圧された後、演算増幅器ＣＯＭ３１の反転端子に印加される。この時、演算増幅器ＣＯＭ３１は比較器として作動し、抵抗Ｒ３２、Ｒ３３によって分圧された電圧は、演算増幅器ＣＯＭ３１の基準電圧として作用する。
【００３９】
演算増幅器ＣＯＭ３１は、二つの入力端子、非反転端子（＋）及び反転端子（−）に印加される電圧の大きさによって出力端子の電圧レベルが決められる。即ち、温度感知センサＴＨ３１の周辺温度が設定温度以下になる場合、演算増幅器ＣＯＭ３１の非反転端子に印加される電圧は、演算増幅器ＣＯＭ３１の反転端子に印加される基準電圧より低くなる。これによって、演算増幅器ＣＯＭ３１の出力電圧は低レベル状態となる。
抵抗Ｒ３４は、温度感知センサＴＨ３１及び抵抗Ｒ３１の抵抗値と抵抗Ｒ３２、Ｒ３３の抵抗値との差による信号レベルの差を調整するためのものである。また、抵抗Ｒ３５は、演算増幅器ＣＯＭ３１にヒステリシス（ｈｙｓｔｅｒｅｓｉｓ）動作特性を与えるためのものである。このようにすれば、演算増幅器ＣＯＭ３１は、出力電圧の状態が高レベルから低レベルに変化する時点と、低レベルから高レベルに変化する時点とが互いに異なっており、信号レベルの頻繁な変化によるノイズを減らし、不安定な動作状態を解決することができる。
【００４０】
本発明の実施例において、設定温度は、ランプの正常な動作が殆ど不可能である約−１０℃程度としているが、この温度は、ランプの動作特性や周辺状況などによって調整可能である。
このように、演算増幅器ＣＯＭ３１からの信号が低レベルである場合、信号出力部９２４に印加される第１明るさ制御部９２１からの信号は、ダイオードＤ４２と抵抗Ｒ４１を通って温度感知部９２３の抵抗Ｒ３５に流れ、インバータ制御部９２５には低レベル状態の信号が印加される。
これにより、信号制御部９２５は、信号出力部９２４からの信号が低レベルを維持する間、電流感知部９２８からのフィードバック信号によって光源部９６０の点灯状態を制御する。
【００４１】
しかしながら、光源部９６０がまだ点灯されない場合、信号制御部９２５は、光源部９６０の初期点灯のための所定周波数の信号を生成してスイッチング部９２６に印加する。この時、インバータ制御部９２５から生成された信号の周波数は、光源部９６０に最大の駆動電圧を印加するような大きさを有することができる。
スイッチング部９２６は、インバータ制御部９２５からの信号によって動作状態が定められ、外部からの直流電圧ＤＣを当該周波数の交流電圧に変換して変圧部９２７に印加する。
変圧部９２７は、スイッチング部９２３から印加される交流電圧を巻線比に応じた高電圧に昇圧して光源部９６０に印加し、光源部９６０のランプを点灯させる。
光源部９６０が点灯されると、電流感知部９２８は、抵抗Ｒ５１を用いて光源部９６０のランプに流れる電流に比例する電圧を信号出力部９２４に印加する。
【００４２】
電流感知部９２８からの信号の一部は、第２明るさ制御部９２２のトランジスタＱ２１を通って抵抗Ｒ２４を通じて流れる。また、演算増幅器ＣＯＭ３１の出力信号のレベルが低レベルであるため、電流感知部９２８からの信号は信号出力部９２４のダイオードＤ４３と抵抗Ｒ４１を通じて温度感知部９２３に流れる。また、残りの信号は、抵抗Ｒ４２を通じてインバータ制御部９２５に印加される。第２明るさ制御部９２２を通じて流れる信号の量は、第２明るさ制御信号ＤＭ２の信号レベルによって決定される。
このようにして、インバータ制御部９２５は、光源部９６０が点灯された後に、抵抗Ｒ４２を通じてフィードバックする電流感知部９２８の電流感知信号によって光源部９６０に印加される駆動電圧を調整し、光源部９６０のランプに流れる電流が一定であるように制御する。
【００４３】
既に説明したように、本発明の実施例において、温度感知部９２３の演算増幅器ＣＯＭ３１の出力が低レベルである場合、電流感知部９２８からの信号は、インバータ制御部９２５及び第２明るさ制御部９２２に分散されるのみでなく、温度感知部９２３にも分散される。従って、温度感知部９２３に分散された信号の分だけインバータ制御部９２５に印加される信号の量が減少し、これを補償するためインバータ制御部９２５は光源部９６０の駆動電圧を増加させる。
このように、温度感知センサＴＨ３１を用いた感知温度が設定温度以下である場合、ダイオードＤ４１を通じてインバータ制御部９２５に印加される信号のレベルを低レベルにし、抵抗Ｒ４２を通じてフィードバックする信号の量を減少させることによって、消灯時間がなく継続して光源部９６０を点灯させながら、光源部９６０の駆動電圧を増加させて光源部９６０を流れる電流量を増加させる。
【００４４】
しかしながら、温度感知部９２３の温度感知センサＴＨ３１の周辺温度が設定温度を超える場合、温度感知センサＴＨ３１及び抵抗Ｒ３１を通じて演算増幅器ＣＯＭ３１の非反転端子（＋）に印加される電圧は基準電圧より高くなり、演算増幅器ＣＯＭ３１は高レベルの電圧を出力する。
これによって第１明るさ制御部９２１からの出力信号は、信号出力部９２４のダイオードＤ４１を通じて反転し、インバータ制御部９２５に印加される。
また、電流感知部９２８からの信号は、第２明るさ制御部９２２のトランジスタＱ２１を通って抵抗Ｒ２４を通じて流れ、抵抗Ｒ４２を通じてインバータ制御部９２５に印加される。
【００４５】
これによってインバータ制御部９２５は、第１明るさ制御信号ＤＭ１のレベルが高レベルである間、光源部９６０のランプを流れる電流の量が一定であるように、スイッチング部９２６の動作を制御する。このようなフィードバック制御方式によって、第２明るさ制御部９２２から漏洩する電流の量を補償し、ランプの輝度を一定に維持する。
このように、温度感知センサＴＨ３１の周辺温度が設定温度以上である場合には、点灯区間及び消灯区間を有する正常な第１明るさ制御信号ＤＭ１と電流感知部９２８からのフィードバック信号によって光源部９６０の点滅動作を制御する。
【００４６】
次に、図５乃至図７を参照して、経時によるランプ電流の変化、ランプ温度の変化及び輝度変化について説明する。
図５は、経時によるランプ電流の変化を示すグラフであり、図６は、経時によるランプ温度の変化を示すグラフであり、図７は、経時による輝度変化を示すグラフである。
図５に示すように、本発明の実施例では、光源部９６０の周辺温度が設定温度を超えるまでランプを流れるランプ電流が最大電流となる（曲線Ａ）のに対し、従来では、経時に関係なく常に一定の電流がランプに流れる（曲線Ａ’）。
図６に示すように、このような電流変化のため本発明では、光源部９６０の動作が正常に行われる温度である、例えば約１０℃までランプ温度が上昇するまでの時間が、従来の技術（曲線Ｂ’）より相当短い（曲線Ｂ）。
【００４７】
従って、光源部９６０の周辺温度が正常動作が可能な温度まで迅速に上昇するため、図７に示すように、光源部９６０の輝度は、従来技術の輝度（曲線Ｃ’）に比べて速く増加し、従来技術に比べて短い時間で安定的な輝度状態に到達することができる（曲線Ｃ）。
本発明の実施例によれば、光源部の周辺温度が設定温度以下である場合、光源部に印加される駆動電圧を最大にし、最も大きい電流がランプに流れるようにする。これによって、光源部周辺の温度が正常の動作が可能な温度に到達までにかかる時間を短縮し、放電ガス動作の異常によって光源部の輝度が低下するのを防止する。また、設定温度範囲で光源部が動作する場合、放電ガスによる電極の摩耗を防ぎ、光源部の寿命減少を防止する。
【００４８】
尚、本発明は、上述の実施例に限られるものではない。本発明の技術的範囲から逸脱しない範囲内で多様に変更実施することが可能である。
【図面の簡単な説明】
【００４９】
【図１】本発明の一実施例による液晶表示装置の分解斜視図である。
【図２】本発明の一実施例による液晶表示装置のブロック図である。
【図３】本発明の一実施例による液晶表示装置の一つの画素に対する等価回路図である。
【図４】本発明の一実施例によるインバータ部の詳細な回路図である。
【図５】本発明の一実施例による光源部及び従来の光源部における経時によるランプ電流の変化を示したグラフである。
【図６】本発明の一実施例による光源部及び従来の光源部における経時による光源部周辺の温度変化を示したグラフである。
【図７】本発明の一実施例による光源部及び従来の光源部における経時による光源部の輝度変化を示したグラフである。
【符号の説明】
【００５０】
３        液晶層
１００、２００  表示板
１９０      画素電極
２３０      カラーフィルタ
２７０      共通電極
３００      液晶表示板組立体
３１０      データＴＣＰ
３１１      データ駆動集積回路
３３０      表示部
３５０      データＰＣＢ
３６１、３６２  上部／下部シャーシ
３６３      反射シート
３６４      ランプ固定台
３６５      ランプホルダ
３６６      モールドフレーム
４００      ゲート駆動部
４１０      ゲートＴＣＰ
４１１      ゲート駆動集積回路
４５０      ゲートＰＣＢ
５００      データ駆動部
６００      信号制御部
８００      階調電圧生成部
９００      バックライト部
９１０      光学器具
９０１      光学シート
９０２      拡散板
９２０      インバータ部
９２１      第１明るさ制御部
９２２      第２明るさ制御部
９２３      温度感知部
９２４      信号出力部
９２５      インバータ制御部
９２６      スイッチング部
９２７      変圧部
９２８      電流感知部
９６０      光源部
ＬＰ１〜ＬＰ３  ランプ
【図１】
2006039558.tif 000003
【図２】
2006039558.tif 000004
【図３】
2006039558.tif 000005
【図４】
2006039558.tif 000006
【図５】
2006039558.tif 000007
【図６】
2006039558.tif 000008
【図７】
2006039558.tif 000009